(57)【特許請求の範囲】
【請求項１】
液体を含有するための貯蔵部（２１）を画定し、および縦軸Ａを有する末端部（１０）を含むシリンジ（２０）であって、
前記末端部（１０）は、前記縦軸Ａに整列しおよび前記液体の輸送のための通路を提供するチャンネル（１１）を包含し、
前記チャンネル（１１）は、第１部分（１２）および第２部分（１３）と、前記第１部分（１２）と前記第２部分（１３）とを連続的に接続する遷移帯（１６）と、を含み、
前記第１部分（１２）は、末端部（１０）の自由遠位端（１４）から貯蔵部（２１）の方向に伸び、および
前記第２部分（１３）は、チャンネル（１１）の第１部分（１２）と末端部（１０）の近位端との間に伸び、および前記第１部分（１２）を貯蔵部（２１）と接続し、
前記第１および第２部分のそれぞれは、円筒の形状を有し、前記第１部分（１２）の平均直径は、長さ方向にわたって一定であり、且つ、前記第２部分（１３）の平均直径よりも大きく、
前記遷移帯（１６）は、０よりも大きい前記末端部（１０）の縦軸Ａに沿った長さを有し、前記遷移帯（１６）の直径は、前記長さに沿って、前記第１部分（１２）の平均直径から前記第２部分（１３）の平均直径まで漸減し、
前記末端部（１０）は、内部カニューレを有する無針コネクタを搭載するのに適合するように構成された外部形状を有し、
前記第１部分（１２）は、前記コネクタを搭載した場合に前記内部カニューレを受容可能な大きさの直径および長さを有し、前記第２部分（１３）は、前記内部カニューレを受容できない大きさの直径を有するように構成されており、
シリンジ（２０）および末端部（１０）は、ガラスを材料とする単一部品に構成されていることを特徴とするシリンジ（２０）。
【請求項２】
遷移帯（１６）は、部分的に球状の形状を有することを特徴とする請求項１に記載のシリンジ（２０）。
【請求項３】
遷移帯（１６）はフルストコニカル形状を有することを特徴とする請求項１に記載のシリンジ（２０）。
【請求項４】
末端部（１０）の外部形状は、ルアータイプのコネクタに適合することを特徴とする請求項１から３のいずれか一項に記載のシリンジ（２０）。
【請求項５】
前記末端部（１０）は、その縦軸Ａに対して回転対称性を有することを特徴とする請求項１から４のいずれか一項に記載のシリンジ（２０）。
【請求項６】
末端部（１０）の近位端の外径は、４．３０から４．５０ｍｍの範囲内にあることを特徴とする請求項１から５のいずれか一項に記載のシリンジ（２０）。
【請求項７】
末端部（１０）の遠位端（１４）の外径は、３．９０から４．１０ｍｍの範囲内にあることを特徴とする請求項５または６に記載のシリンジ（２０）。
【請求項８】
チャンネル（１１）の第２部分（１３）の平均直径は、１．００から１．３０ｍｍの範囲内にあることを特徴とする請求項５から７のいずれか一項に記載のシリンジ（２０）。
【請求項９】
チャンネル（１１）の第１部分（１２）の平均直径は、１．６０から１．９０ｍｍの範囲内にあることを特徴とする請求項５から８のいずれか一項に記載のシリンジ（２０）。
【請求項１０】
末端部（１０）の縦軸Ａに沿ったチャンネル（１１）の第１部分（１２）の長さは、５．６０から７．００ｍｍの範囲内にあることを特徴とする請求項１から９のいずれか一項に記載のシリンジ（２０）。
【請求項１１】
遷移帯（１６）は、０．３０から２．００ｍｍの範囲内にある縦軸に沿った長さを有することを特徴とする請求項２から１０のいずれか一項に記載のシリンジ（２０）。
【請求項１２】
前記ガラスはホウケイ酸ガラスであることを特徴とする請求項１に記載のシリンジ（２０）。
【請求項１３】
さらに、末端部（１０）は、ルアーロックアダプターを前記末端部（１０）に組み立てるのに適切な円形の溝（１８）をさらに含み、前記円形の溝（１８）は、末端部（１０）の近位端（１５）とチャンネル（１１）の遷移帯（１６）との間の前記末端部（１０）の外表面に位置付けられていることを特徴とする請求項１から１２のいずれか一項に記載のシリンジ（２０）。
【請求項１４】
前記円形の溝（１８）は、前記円形の溝（１８）の近位端（１８ａ）および遠位端（１８ｂ）を画定する、末端部（１０）の縦軸Ａに沿った長さを有し、円形の溝（１８）の遠位端（１８ｂ）は、末端部（１０）の自由遠位端（１４）から少なくとも７．５０ｍｍの距離に位置付けられていることを特徴とする請求項１３に記載のシリンジ（２０）。
【請求項１５】
末端部（１０）は、ルアーロック末端部であることを特徴とする請求項１から１２のいずれか一項に記載のシリンジ（２０）。
【請求項１６】
シリンジ（２０）は、ルアーロックアダプターが備え付けられていることを特徴とする請求項１から１４のいずれか一項に記載のシリンジ（２０）。
【請求項１７】
シリンジ（２０）は事前充填されていることを特徴とする請求項１から１６のいずれか一項に記載のシリンジ（２０）。
【発明の詳細な説明】
【技術分野】
【０００１】
本発明は、例えば円錐形組立品を介して、例えば「ルアー」タイプの６％円錐形組立品によって接続される、無針コネクタの搭載に適した末端部（end-piece）を有する慣用のすなわち事前充填されたシリンジに関する。
【背景技術】
【０００２】
本願明細書において、構成部品または器具の遠位端は使用者の手から最も遠い端部を意味するよう理解されるべきであり、近位端は使用者の手に最も近い端部を意味するよう理解されるべきである。
【０００３】
シリンジ、かん流および輸血器具、ならびにコネクタのような、医療用流体を輸送および／または保存するための多様な医療器具が知られている。これらの多様な医療器具が正確および安全に組み立て合わせられることは、必須である。
【０００４】
円錐形組立品、例えば、その仕様が精密な標準（特に、ＩＳＯ５９４／１  ８６およびＩＳＯ５９４／２  ９８標準を参照）によって定義されるルアータイプの６％円錐形組立品は、多様なタイプの医療器具を搭載するための適合性を保証することを可能にする。これらの仕様は、硬質または半硬質材料製の円錐形組立品に適用される。
【０００５】
慣用のシリンジは、大抵、前記シリンジから排出されるかまたは前記シリンジに注入されるべき医療用液体のための貯蔵部を形成する中空の本体、前記貯蔵部をその端部の１つ、特にその近位端で範囲を定めるために本体の内側に設置されるシール、および近接した握り部分とともにピストンを形成する該シールを作動させるためのロッドを含む。加えて、貯蔵部を形成する本体の遠位端は、大抵、末端部を含み、その中に軸方向通路が配置され、それを通って前記液体は貯蔵部から排出される。末端部は、例えばフルストコニカル（frustoconical）形状の「ルアー」タイプの、摩擦スリーブフィッティングのための表面を持つ外部遠位接合点を含んでいる可能性がある。
【０００６】
液体の取扱い、特に、しばしば病院または緊急事態などにおいて、かん流器具を介して行われる患者への非経口投与は、一般的な方法において、円錐形組立品、例えば６％ルアー円錐形組立品が備え付けられたコネクタおよびカップリングの使用を意味する。よく使用され、および以下Ｃｌａｖｅ（登録商標）タイプと称されるコネクタは、例えば、特許文献１に記載されている。このコネクタは、特に、雌型ルアー円錐形組立品の内側に取り付けられ、シリンジの末端部の軸方向通路に入るように設計された、内部の被覆カニューレを含む。そのようなコネクタは、医療器具の組立品をシールし、それらが含有する医療用液体の汚染に対して保護を提供することを可能にする。しかしながら、不適合であると判明した多様なシリンジとのこのタイプのコネクタの使用に関して、問題が報告されている。その結果、適合した中間のカップリングの使用がしばしば必要とされ、これは、特に緊急事態において、医療スタッフの治療介入を複雑にする。加えて、そのようなコネクタに不適合であるシリンジを組み込もうとする試みは、シリンジの末端部および／またはコネクタの内部カニューレの破損のために、シリンジおよび／またはコネクタを使用できなくする可能性がある。そのような場合において、薬の投与は不可能となり、またはよくても遅延する。
【先行技術文献】
【特許文献】
【０００７】
【特許文献１】米国特許第５，６９４，６８６号明細書
【発明の概要】
【発明が解決しようとする課題】
【０００８】
特許文献１に記載されるようなコネクタ内に存在する被覆内部カニューレは、前記コネクタおよびシリンジの正確な搭載を保証し、および医療用流体がコネクタおよびシリンジの間を移動するのを可能にするために、シリンジの末端部の軸方向通路の最小直径を必要とする。その上、もし円錐形組立品、例えば６％ルアーを備える他の器具との適合性を提供することが望まれるならば、シリンジの末端部の自由端の外径およびそのコニシティ（conicity）が、標準（標準ＩＳＯ５９４／１  ８６およびＩＳＯ５９４／２  ９８参照）によって課される。また、最終的には、一方では末端部の製造作業におよび他方では例えば６％ルアー雌型円錐形組立品のような円錐形組立品への前記末端部の挿入に、壁を破壊することなく耐えるために、壁が適切な抵抗を提供することを保証するのに十分であるそれを形成する壁の厚さを末端部が有する必要性によって、軸方向通路の直径は制限される。この末端部の壁の破損の問題は、シリンジおよび末端部を製造するために使用される材料がガラスのような壊れやすい材料から選択される場合に、なおさら重要である。
【０００９】
さらに、もし医療用液体がシリンジから別の器具にコネクタによって輸送される場合は、「デッドボリューム」と呼ばれるものを構成する、医療用液体の輸送後に末端部に残存する医療用液体の体積は、一方では、医療用液体の損失を最小限にし、および他方では、投与される医療用液体の体積の精度の理由のために、できるだけ小さくあるべきである。
【００１０】
本発明の対象は、内部カニューレを含むコネクタに関して見られる適合性の問題を解決することを可能にする末端部を有するシリンジである。また、好ましくは、本発明に従うシリンジは、円錐形組立品コネクタとの適合性の問題を解決することを可能にする。また、本発明のシリンジは、例えばかん流器具への接続の間、特に緊急事態において、必ずしもすぐに利用可能であるとは限らず、付加的な取扱いステップを加え、および医療設備のデッドボリュームを増大させる付加的なカップリングの使用を回避することを可能にする。
【課題を解決するための手段】
【００１１】
本発明のシリンジは、末端部の軸方向通路のデッドボリュームを低減させることを可能にする末端部を有する。
【００１２】
本発明の１つの態様は、液体を含有するための貯蔵部を画定し、および縦軸Ａを有する末端部を含むシリンジであり、前記末端部は、前記縦軸Ａに整列しおよび前記液体の輸送のための通路を提供するチャンネルを包含し、前記チャンネルは、少なくとも２つの部分、第１部分および第２部分を含み、前記第１部分は、末端部の自由遠位端から貯蔵部の方向に伸び、および前記第２部分は、チャンネルの第１部分と末端部の近位端との間に伸びおよび前記第１部分を貯蔵部に接続し、前記第１部分は、前記第２部分の平均直径よりも大きい平均直径を有し、前記第１および第２部分のそれぞれは、円筒の形状を有することを特徴とする。 
本明細書において、「平均直径」は、一部の一定の長さにわたっていくつかの横断面を取ることによって測定された多様な直径の平均値から得られる直径を意味する。
【００１３】
本明細書において、「直径」は、一部の測定された横断面に対応する直径を意味する。
【００１４】
従って、本明細書において、第１部分および第２部分のそれぞれは、一定の長さを有する。各部分に関して、直径は、前記部分の長さにわたって、例えば使用された材料または使用された製造方法に従って、わずかに変動することができる。各部分に関して、平均直径は、前記部分の長さにわたって測定することができる多様な直径の平均値に相当する。各部分は、円筒の形状を有する：換言すれば、各部分に関して、平均直径は実質的に一定である。そのような円筒状部分は、通路を通って放出されるときの医療用液体のよりよい流れ、容易な製造、円筒の形状を有する内部カニューレを含むコネクタとの適切な接続およびデッドボリュームの低減を可能にする。本発明に従うシリンジの末端部のチャンネルの第１部分は、コネクタとの前記シリンジの組立品の適合性を与えることを可能にし、同時に、シリンジの末端部のチャンネルの第２部分は、末端部に、前記末端部が円錐形組立品、例えば雌型６％ルアー円錐形組立品に挿入されるときに破損を防止するのに十分な強度を与える。
本発明の１つの実施形態において、前記第１部分は、無針コネクタシステム、特に、特許文献１に記載されているようなＣｌａｖｅ（登録商標）タイプの無針コネクタシステムを搭載するのに適切である。
【００１５】
また、有利には、遷移帯（transition zone）が、前記第１部分と前記第２部分とを接続し、前記遷移帯は、０よりも大きい前記末端部の縦軸Ａに沿った長さを有し、前記遷移帯の直径は、前記長さに沿って、前記第１部分の平均直径および前記第２部分の平均直径によって画定される範囲内で変動する。
【００１６】
本発明の１つの実施形態において、遷移帯は、部分的に球状の形状を有する。本発明の別の実施形態において、遷移帯は、フルストコニカル形状を有する。そのような部分的に球状の形状またはフルストコニカル形状は、末端部の強度を最適化し、およびデッドボリュームを低減させることを可能にする利点を有する。さらに、そのような形状は、また、特に末端部がガラスのような壊れやすい材料製である場合に、製造方法を容易にすることを可能にする。
【００１７】
本発明に従うシリンジの１つの実施形態において、末端部の外部形状は、ルアータイプのコネクタに適合する。特に、本発明に従うシリンジの末端部の外部形状は、円錐形であってもよい。例えば、末端部の外部形状は、６%のコニシティを有するルアータイプコネクタに適合するために、６%のコニシティを有していてもよい。末端部のそのような外部形状は、本発明に従うシリンジの、円錐形組立品を介して組み立てられることを意図される他の医療器具との適合性を保証することを可能にする。
【００１８】
従って、好ましくは、本発明に従うシリンジの末端部は、その縦軸Ａに対する回転対称性を有する。末端部の近位端の外径は、次いで、有利には、４．３０から４．５０ｍｍの範囲内にあってもよい。末端部の遠位端の外径は、有利には、３．９０から４．１０ｍｍの範囲内にあってもよい。チャンネルの第２部分の平均直径は、１．００から１．３０ｍｍの範囲内にあってもよい。チャンネルの第１部分の平均直径は、１．６０から１．９０ｍｍの範囲内にあってもよい。末端部の縦軸Ａに沿ったチャンネルの第１部分の長さは、５．６０から７．００ｍｍの範囲内にあってもよい。遷移帯の長さは、０．３０から２．００ｍｍの範囲内にあってもよい。本段落において言及された寸法の少なくとも１つ、好ましくはすべての寸法を有する本発明に従うシリンジの末端部は、安全で、迅速で、単純で、効率的な組立のために特に有用および適切であり、破損、または、例えば６％のコニシティのルアーコネクタのような、円錐形組立品を備えるルアータイプコネクタを含む器具、および／または、例えばＣｌａｖｅ（登録商標）コネクタのような、無針タイプコネクタを含む器具との不適合性のリスクを伴わない。
【００１９】
ある種の医療用液体の保存は、シリンジに使用される材料に拘束を強いる可能性がある。例えば、医療用液体は大きな安定性を必要とするので、ガラスを使用することが好ましい。ガラスのような材料は、シリンジ中に、もしプラスチックのシリンジ中にそれらが保存されていたならばそれらの安定性および／または完全性が危うくされていたであろう特定の医療用液体を保存することを可能にする。従って、ガラスは、特に、事前充填されたシリンジの場合に有利である。しかしながら、ガラスは、脆くて容易に壊れるという不利点を有する。
【００２０】
本発明に従うシリンジは、その末端部の特定の構造のために、もしシリンジおよびその末端部がガラスを材料とする単一部品に構成されていたとしても、前記末端部の破損のリスクを伴わずに、ルアータイプのコネクタ、またはＣｌａｖｅ（登録商標）タイプの無針コネクタとの確実で効率的な接続を生み出すことを可能にする。
【００２１】
従って、本発明の１つの実施形態において、シリンジおよび末端部は、ガラスを材料とする単一部品に構成されている。例えば、ガラスはホウケイ酸ガラスであってもよい。
【００２２】
また、さらに、ガラスのような材料は、例えば蒸気またはエチレンオキシド滅菌のような厳しい滅菌処理に対して安定であるシリンジを製造することを可能にする。また、本発明に従うシリンジ末端部は、特にシリンジおよび末端部がガラス製である場合、ルアーロックアダプターを前記末端部に対して組み立てるのに適切な円形の溝を含んでいてもよく、前記円形の溝は、末端部の近位端とチャンネルの遷移帯との間の末端部の外表面に位置付けられる。次いで、有利には、シリンジは、ルアーロックアダプターが備え付けられていてもよい。
【００２３】
例えば、前記円形の溝は、前記円形の溝の近位端および遠位端を画定する末端部の縦軸Ａに沿った長さを有し、円形の溝の遠位端は、末端部の自由遠位端から少なくとも７．５０ｍｍの距離に位置付けられる。従って、例えば、本発明に従うシリンジにルアーロックアダプターを備え付けることが可能である。
【００２４】
別の実施形態において、シリンジおよびその末端部は、例えば、ポリカーボネート、ポリプロピレン、シクロオレフィンコポリマー（ＣＯＣ）およびそれらのブレンドから選択されるポリマー製である。そのようなポリマー材料は、より簡単な成形に役立つ。
【００２５】
本発明に従うシリンジは、事前充填されていてもよい。
【００２６】
本発明およびこれから生じる利点は、添付図面を参照して、以下に示す発明の詳細な説明から明確に分かるであろう。
【図面の簡単な説明】
【００２７】
【図１ａ】特許文献１に記載されるもののような内部カニューレを含むコネクタに使用者が挿入しようと試みる、先行技術のシリンジおよびその末端部の部分横断面を示す図である。
【図１ｂ】特許文献１に記載されるもののような内部カニューレを含むコネクタに使用者が挿入しようと試みる、先行技術のシリンジおよびその末端部の部分横断面を示す図である。
【図２】本発明に従うシリンジの末端部の側面図である。
【図３】図１に示されるようなコネクタに搭載された図２のシリンジの末端部の断面図である。
【発明を実施するための形態】
【００２８】
図１ａは、例えば、折り畳み式（retractable）シール６によって被覆された内部カニューレ５を有するＣｌａｖｅ（登録商標）タイプの無針コネクタ４の雌型円錐形組立品３に使用者が末端部１を挿入しようと試みている先行技術のシリンジ２の末端部１を示す。先行技術のシリンジ２の末端部１は、末端部１の縦軸に対してダクト７の全長にわたって同一の横断面を有するダクト７の形態の軸方向通路を含む。内部カニューレ５の円錐形形状および末端部１のダクト７の単一直径は、例えばシリンジ２の貯蔵部８に含有される医療用液体が内部カニューレ５に配列された開口部９を介して組立品を通って移動するのを可能にするために内部カニューレ５が前記ダクト７に十分に入ることを妨げる。先行技術のシリンジ２およびその末端部１は、従って、コネクタ４と不適合である。先行技術のシリンジ２およびコネクタ４からなる組立品は、従って、使用できず、および医療用液体の投与を不可能にする。
【００２９】
図１ｂは、その内径はコネクタ４のカニューレ５を受け入れることを可能にしない末端部１を有するダクト７を含む先行技術の別のシリンジ２を示す：このカニューレ５は、ダクト７に全く入らない：シリンジ２およびコネクタ４間の接続は不可能である。 
図２は、縦軸Ａを有する末端部１０を含む、液体、例えば医療用液体を含有するための貯蔵部２１（部分的に示される）を画定する、本発明に従うシリンジ２０（図中、部分的に示される）を示す。末端部１０は、縦軸Ａに沿って整列するチャンネル１１を包含し、シリンジ２０から排出されるかまたはシリンジ２０に注入されるべき液体の輸送のための末端部１０の遠位端１４に向かう通路を提供する。チャンネル１１は、示される例において、２つの部分、第１部分１２および第２部分１３を含む。前記第１部分１２は、末端部１０の自由遠位端１４から本発明に従うシリンジ２０の貯蔵部２１の方向に伸びる。この部分１２は、例えば、例えば図１に示されるもののような無針コネクタシステム４の搭載に適合している。前記第２部分１３は、チャンネル１１の第１部分１２と末端部１０の近位端１５との間に伸び、同時に前記第１部分１２を貯蔵部２１と接続し、前記第１部分１２は、前記第２部分１３の平均直径Ｄ２よりも大きい平均直径D１を有する。図２に見られるように、各部分（１２、１３）は、円筒の形状を有する。換言すれば、各部分、すなわち、第１部分１２および第２部分１３のそれぞれに関して、平均直径Ｄ１およびＤ２のそれぞれは、実質的に一定である。加えて、示される例において、第１および第２部分（１２、１３）は、末端部１０の縦軸Ａに沿ったノンゼロ長さを有する遷移帯１６を介して接続されている。この図に見られるように、遷移帯１６の直径Ｄ３は、その長さに沿って、前記第１部分１２の平均直径および前記第２部分１３の平均直径によって画定される範囲内で変動する。図２に示される例において、遷移帯１６は、フルストコニカル形状を有する。別の実施形態において、不図示であるが、遷移帯１６は、部分的に球状の形状を有する。部分的に球状またはフルストコニカルであるそのような形状は、末端部１０の強度を、特にその壁１７で、より正確には後者がガラス製である場合に、強化する利点を有する。また、そのような形状は、示される例において第１および第２部分（１２、１３）ならびに遷移帯１６によって表される体積に相当するデッドボリュームを低減させることを可能にする。また、さらに、そのような形状は、特に末端部１０がガラスのような壊れやすい材料製である場合に、製造方法を容易にすることを可能にする。
【００３０】
図２に示される末端部１０は、好ましくは、その縦軸Ａに対する回転対称性を有する；そのような場合において、末端部１０は、好ましくは、以下の寸法のうちの少なくとも１つを有する：
・ａ）末端部１０の近位端の外径は、４．３０から４．５０ｍｍの範囲内にある、
・ｂ）末端部１０の自由遠位端１４の外径は、３．９０から４．１０ｍｍの範囲内にある、
・ｃ）チャンネル１１の第２部分１３の平均直径は、１．００から１．３０ｍｍの範囲内にある、
・ｄ）チャンネル１１の第１部分１２の平均直径は、１．６０から１．９０ｍｍの範囲内にある、
・ｅ）末端部１０の縦軸Ａに沿ったチャンネル１１の第１部分１２の長さは、５．６０から７．００ｍｍの範囲内にある、
・ｆ）遷移帯１６は、０．３０から２．００ｍｍの範囲内にある縦軸に沿った長さを有する、
・ｇ）末端部の外部形状は、６％のコニシティを有する。
【００３１】
上に特定した寸法の少なくとも１つ、好ましくはすべての寸法を有する本発明に従うシリンジの末端部は、安全で、迅速で、単純で、効率的な組立品のために、特に有用および適切であり、破損、または、例えば６％のコニシティのルアーコネクタのような円錐形組立品ルアータイプコネクタを含む器具および／または例えばＣｌａｖｅ（登録商標）コネクタのような無針タイプコネクタを含む器具との不適合性のリスクを伴わない。
【００３２】
例えば、特徴ａ）およびｃ）を組み合わせて有する本発明に従うシリンジの末端部は、たとえもし後者がガラス製であったとしても、末端部の壁の優れた強度およびデッドボリュームの低減を得ることを可能にする。
【００３３】
例えば、特徴ｂ）、ｄ）、ｅ）およびｇ）を有する本発明に従うシリンジの末端部は、特に、すべてのタイプのコネクタ、例えばルアーコネクタおよびＣｌａｖｅ（登録商標）コネクタに適合する。
【００３４】
１つの実施形態において、シリンジおよび末端部は、ガラス、例えばホウケイ酸ガラスの単一部品に構成される。
【００３５】
本発明に従うシリンジの末端部は、図２に示されるように、ルアーロックアダプターを前記末端部１０に組み立てるのに適切な円形の溝１８を含んでいてもよく（図３参照）、前記円形の溝１８は、末端部１０の近位端１５とチャンネル１１の遷移帯１６との間の前記末端部１０の外表面に位置付けられる。
【００３６】
円形の溝１８は、従って、前記壁１７を弱体化させるのを防止するために、 末端部の縦軸Ａに沿って遷移帯１６に対してオフセットされる。例えば、前記円形の溝１８は、前記円形の溝の近位端１８ａおよび遠位端１８ｂを画定する末端部１０の縦軸Ａに沿った長さを有し、および円形の溝１８の遠位端１８ｂは、次いで、末端部１０の自由端１４から少なくとも７．５０ｍｍの距離に位置付けられる。そのような末端部１０は、たとえもしこの末端部１０がガラス製であったとしても、ルアータイプコネクタとの接続のために特に適切である。
【００３７】
本発明の別の実施形態において、末端部１０は、ポリカーボネート製であってもよい。
【００３８】
本発明に従うシリンジの末端部１０は、ガラス、より具体的にはホウケイ酸ガラスのような壊れやすい材料製のシリンジに関して見られる問題を解決するために、特に有利である。具体的には、ガラスシリンジの固有の脆性の問題にかかわらず、後者は、しばしば、それが含有する医療用流体および薬のより良い保存を可能にする。従って、事前充填されたガラスシリンジを作成することが望ましい。この場合、本発明に従うシリンジは、このタイプのシリンジによって引き起こされる問題を解決するために、特に適切である。最終的には、ガラスシリンジは、例えば滅菌ガスを用いて、より容易に除染することが可能である。
【００３９】
好ましくは、末端部１０の外部形状は、ルアータイプコネクタとの接続に適合し、例えば、本発明に従うシリンジの末端部１０は、特に、ルアー６％円錐形組立品を定義する標準によって強いられる寸法に従う。
【００４０】
図３は、図１に示されるもののようなコネクタ４に搭載された、図２のシリンジ２０（部分的に示される）およびその末端部１０を示す。チャンネル１１の第１部分１２の平均直径は、第２部分１３のそれよりも大きく、それは、コネクタ４の内部カニューレ５が末端部１０のチャンネル１１に正確に入ることを可能にし、および従って、医療用液体が、末端部１０の破損のリスクを冒すことなく、末端部１０の壁１７と内部カニューレ５との間にリリースされた中間空間１９の中の内部カニューレ５の窓９を通って移動することを可能にする。具体的には、第２部分１３はより狭い横断面を有し、それは、壁１７の厚さを増大させ、および従って、末端部１０を全体的に強化することを可能にする。加えて、第２部分１３のそのようなより狭い横断面は、第２部分１３および遷移帯１６の体積に加えられた中間空間１９の体積に相当する組立品のデッドボリュームを低減させることを可能にする。
【００４１】
末端部１０の自由端１４は、折り畳み式シール６を圧迫する。本発明の１つの実施形態において、末端部１０の前記自由端１４の表面は、好ましくは、実質的に平滑である。そのような構造は、末端部１０およびコネクタ４によって形成された組立品の正確なシールを保証することを可能にする。
【００４２】
従って、図３に示されるように、本発明に従うシリンジおよびその末端部は、安全で、単純で、効率的な方法で、Ｃｌａｖｅ（登録商標）タイプの無針コネクタを備える前記シリンジの組立品、およびルアータイプのコネクタまたはルアーロックタイプのアダプターを備えるこの同一のシリンジの組立品を製造すること、およびたとえもしシリンジおよびその末端部がガラスのような壊れやすい材料の単一部品に構成されていたとしても、そうすることを可能にする。
【図１ａ】
0005819191.tif 000002
【図１ｂ】
0005819191.tif 000003
【図２】
0005819191.tif 000004
【図３】
0005819191.tif 000005